(57)【要約】【課題】低コストで製造可能であって、使い勝手のよいゴルフクラブ用保護具を提供する。【解決手段】シャフトが挿入される円筒状のシャフト収容体と、このシャフト収容体の上部に設けてヘッドを被覆するヘッドカバー体とからなるゴルフクラブ用保護具であって、シャフト収容体とヘッドカバー体とを弾性部材を介して接続し、この弾性部材部分を屈曲自在とする。また、弾性部材を介して、ヘッドカバー体をシャフト収容体の伸延方向に対して進退自在とする。さらに、弾性部材は伸縮性を有する部材で構成する。【選択図】図１
2005137691.tif 000002
【特許請求の範囲】
【請求項１】
シャフトが挿入される円筒状のシャフト収容体と、このシャフト収容体の上部に設けてヘッドを被覆するヘッドカバー体とからなるゴルフクラブ用保護具であって、
前記シャフト収容体と前記ヘッドカバー体とを弾性部材を介して接続し、この弾性部材部分を屈曲自在としたゴルフクラブ用保護具。
【請求項２】
前記弾性部材を介して、前記ヘッドカバー体を前記シャフト収容体の伸延方向に対して進退自在としたことを特徴とする請求項１記載のゴルフクラブ用保護具。
【請求項３】
前記弾性部材は、伸縮性を有することを特徴とする請求項１または請求項２に記載のゴルフクラブ用保護具。
【発明の詳細な説明】
【技術分野】
【０００１】
本発明はゴルフクラブ用保護具に関するものである。
【背景技術】
【０００２】
従来、ゴルフバックに収容したウッド、アイアン、パター等のゴルフクラブが互いに接触してヘッドやシャフトに傷が生じることを防止するために、各ゴルフクラブをそれぞれ個別のゴルフクラブ用保護具に収容した後にゴルフバックに収容可能としたゴルフクラブ用保護具が知られている。
【０００３】
このようなゴルフクラブ用保護具の一つとして、円筒状のシャフト収容体と、このシャフト収容体の上端にクラブヘッドを支持するヘッド保護体を固定装着したゴルフクラブ用保護具が知られている（例えば、特許文献１参照。）。
【特許文献１】特開平８−１８２７８４号公報
【発明の開示】
【発明が解決しようとする課題】
【０００４】
上記したゴルフクラブ用保護具では、ゴルフクラブを収容しないままゴルフクラブ用保護具をゴルフバックに収容した場合に、ゴルフクラブ用保護具がゴルフバック内に没して取り出しにくくなることを防止するために、シャフト収容体がシャフトのグリップ部分まで被覆するように長くしておく必要があり、ゴルフクラブ用保護具の低コスト化を阻害することとなっているという問題があった。
【課題を解決するための手段】
【０００５】
そこで、本発明のゴルフクラブ用保護具では、シャフトが挿入される円筒状のシャフト収容体と、このシャフト収容体の上部に設けてヘッドを被覆するヘッドカバー体とからなるゴルフクラブ用保護具であって、シャフト収容体とヘッドカバー体とを弾性部材を介して接続し、この弾性部材部分を屈曲自在とした。
【０００６】
また、弾性部材を介してヘッドカバー体をシャフト収容体の伸延方向に対して進退自在としたことにも特徴を有し、さらに、弾性部材が伸縮性を有すること特徴を有するものである。
【発明の効果】
【０００７】
請求項１記載の発明によれば、シャフトが挿入される円筒状のシャフト収容体と、このシャフト収容体の上部に設けてヘッドを被覆するヘッドカバー体とからなるゴルフクラブ用保護具であって、シャフト収容体とヘッドカバー体とを弾性部材を介して接続し、この弾性部材部分を屈曲自在としたことによって、ゴルフクラブ用保護具からゴルフクラブを取り出した後に弾性部材部分を屈曲させることによりヘッドカバー体部分をゴルフバックの開口端縁に係止させることができる。
【０００８】
したがって、開口端縁に係止させたヘッドカバー体によってゴルフクラブ用保護具がゴルフバック内部に没することを防止することができるので、シャフト収容体は下端側の端部がゴルフバックの底部に達する長さでなくてもよく、シャフト収容体の長さを必要最小限として製造コストの低減を図ることができる。
【０００９】
しかも、ヘッドカバー体は弾性部材を介してシャフト収容体に連結されていることによってヘッドカバー体の紛失を防止できる。
【００１０】
請求項２記載の発明によれば、弾性部材を介してヘッドカバー体をシャフト収容体の伸延方向に対して進退自在としたことによって、弾性部材を介してシャフト収容体に連結したヘッドカバー体のクラブヘッドへの着脱作業を容易に行うことができる。
【００１１】
請求項３記載の発明によれば、弾性部材が伸縮性を有することによって、ゴルフバックの開口端縁に係止させたゴルフクラブ用保護具のシャフト収容体の上端縁をゴルフバックの開口端縁部分に位置させることができるので、ゴルフクラブ用保護具にゴルフクラブを収容する場合に、シャフトを極めて容易にシャフト収容体に挿入することができる。
【発明を実施するための最良の形態】
【００１２】
以下において、図面に基づいて本発明の実施形態を詳説する。図１は本実施形態のゴルフクラブ用保護具の説明図であり、図２及び図３はゴルフクラブ用保護具の使用状態の説明図である。
【００１３】
本実施形態のゴルフクラブ用保護具Ａは、図１に示すように、ゴルフクラブＫのシャフトが挿入される円筒状のシャフト収容体１と、このシャフト収容体１の上部に設けてゴルフクラブＫのヘッドを被覆するヘッドカバー体２と、シャフト収容体１とヘッドカバー体２とを連結した連結体３とで構成している。
【００１４】
シャフト収容体１は、合成樹脂製の筒状体であって、特に周面壁をメッシュ状として軽量化している。シャフト収容体１の上端開口部には、ゴルフクラブＫのヘッドを傷つけないように、開口端縁に沿って保護カバー４を装着している。なお、シャフト収容体１の下端開口部には保護カバーを設けていないが、保護カバーを設けてもよい。
【００１５】
ヘッドカバー体２は、本実施形態では柔軟な素材の布体で袋形状に形成し、ゴルフクラブＫのヘッドを被覆可能としている。ヘッドカバー体２の素材は、ヘッドが傷つかない素材であれば何を使用してもよく、必要に応じてファスナーあるいは面ファスナーによって袋形状となったヘッドカバー体２の側面を開閉自在として、ヘッドの出し入れを容易にとしてもよい。
【００１６】
連結体３は、本実施形態では帯状ゴム体で構成しており、連結体３の一端をシャフト収容体１に固定装着するとともに、他端をヘッドカバー体２に装着することによって、連結体３を介してシャフト収容体１とヘッドカバー体２とを接続している。
【００１７】
特に、本実施形態では、シャフト収容体１を挟んで対向させた２本の連結体３によってシャフト収容体１とヘッドカバー体２とを接続している。
【００１８】
そして、連結体３のシャフト収容体１への固定部５とシャフト収容体１の上端開口部との間に、連結体３を挿通させる挿通孔を有するリング状のガイド体６を設けている。本実施形態では、ガイド体６はシャフト収容体１に環装するリング状の支持体７の外側面に突設し、この支持体７をシャフト収容体１の固定部５と上端開口部との間に装着することによりガイド体６を所要の位置に設けている。
【００１９】
ガイド体６は、シャフト収容体１の伸延方向に沿って固定部５の直上方に位置するように設けることが望ましく、支持体７を介してガイド体６を装着することにより、ガイド体６の位置を調整することができる。
【００２０】
このように、シャフト収容体１の伸延方向に沿って固定部５とガイド体６とを設けることにより、帯状ゴム体で構成した連結体３が引き延ばされた場合には、連結体３によってシャフト収容体１の伸延方向に沿った張力が作用することにより、連結体３を介してシャフト収容体１に接続されたヘッドカバー体２を確実にシャフト収容体１の直上部分に位置させることができる。
【００２１】
逆に、後述するように、連結体３を介してシャフト収容体１内に吊り下げ状態とした場合には、シャフト収容体１の吊り下げ姿勢を鉛直方向と略一致させることができ、シャフト収容体１へのシャフトの挿入を行いやすくすることができる。
【００２２】
本実施形態では、連結体３は帯状ゴム体で構成しているが、帯状ゴム体に限定するものではなく、屈曲自在な弾性部材で構成してよく、特に、後述するように屈曲される部分以外は屈曲しにくい部材、たとえば棒状のロッドで構成することもできる。
【００２３】
上記したゴルフクラブ用保護具Ａのシャフト収容体１にゴルフクラブＫのシャフトを挿入し、ヘッドカバー体２でゴルフクラブＫのヘッドを被覆してゴルフクラブＫをゴルフクラブ用保護具に収容すると、シャフト収容体１は連結体３を介してヘッドカバー体２に吊り下げられた状態となる。
【００２４】
したがって、シャフト収容体１は、ゴルフクラブＫのシャフトの長さと略同等の長さとなっている必要はなく、シャフトの長さよりも短くすることができるので、製造コストの低減を図ることができる。
【００２５】
そして、ゴルフクラブ用保護具Ａに収容されたゴルフクラブＫは、この状態で、図２に示すようにゴルフバックＢに収容される。
【００２６】
このようにゴルフクラブ用保護具Ａに収容されたゴルフクラブＫを取り出す場合には、ヘッドカバー体２をゴルフクラブＫのヘッドから取り外し、図３に示すように、ヘッドカバー体２をゴルフバックＢの外側に引き倒しながら連結体３を屈曲させて、ヘッドカバー体２部分をゴルフバックＢの開口端縁に係止させる。
【００２７】
このように連結体３を屈曲させてヘッドカバー体２部分をゴルフバックＢの開口端縁に係止させることにより、連結体３を介してシャフト収容体１はゴルフバックＢ内に吊り下げられた状態となり、ゴルフクラブ用保護具ＡがゴルフバックＢの内部に没することを防止することができる。
【００２８】
特に、連結体３を帯状ゴム体等の伸縮性を有する素材とした場合には、伸縮性を利用してシャフト収容体１の上端縁をゴルフバックＢの開口端縁部分に位置させることができるので、ゴルフクラブ用保護具ＡにゴルフクラブＫを収容する場合に、シャフトを極めて容易にシャフト収容体に挿入することができる。
【００２９】
しかも、上記した支持体７を、シャフト収容体１の上端から所定寸法だけ下端側に設けた場合には、シャフト収容体１の上端開口部をゴルフバックＢの開口端縁よりも上方に位置させることができるので、シャフト収容体１にシャフトをさらに挿入しやすくすることができる。
【００３０】
そして、連結体３によってヘッドカバー体２をシャフト収容体１の伸延方向に対して進退自在としていることにより、シャフト収容体１にシャフトを挿入した後にヘッドカバー体２をゴルフクラブＫのヘッドに容易に被覆させることができる。
【００３１】
図４は他の実施形態のゴルフクラブ用保護具の説明図であり、図５及び図６はこのゴルフクラブ用保護具の使用状態の説明図である。
【００３２】
本実施形態のゴルフクラブ用保護具A'も、上記したゴルフクラブ用保護具Ａと同様に、ゴルフクラブＫのシャフトが挿入される円筒状のシャフト収容体1'と、このシャフト収容体1'の上部に設けてゴルフクラブＫのヘッドを被覆するヘッドカバー体2'と、シャフト収容体1'とヘッドカバー体2'とを連結した連結体3'とで構成している。
【００３３】
シャフト収容体1'は、上記したシャフト収容体１と同様に、合成樹脂製の筒状体であって、特に周面壁をメッシュ状として軽量化している。シャフト収容体1'の上端開口部には、ゴルフクラブＫのヘッドを傷つけないように、開口端縁に沿って保護カバー4'を装着している。
【００３４】
ヘッドカバー体2'は、本実施形態でも柔軟な素材の布体で袋形状に形成し、ゴルフクラブＫのヘッドを被覆可能としている。
【００３５】
特に、本実施形態のヘッドカバー体2'では、袋形状としたヘッドカバー体２の開口縁に沿って、帯状ゴム体で構成した連結体3'を挿通させる第１筒状挿通路11と第２筒状挿通路12とを形成している。
【００３６】
そして、１本の帯状ゴム体で構成した連結体3'を第１筒状挿通路11に挿通させ、次いで第２筒状挿通路12に挿通させて両端を接続することにより、連結体3'をリング状としている。
【００３７】
連結体3'は、リング状とした連結体3'の一カ所を、固定具5'を介してシャフト収容体1'に固定装着して、連結体3'を介してシャフト収容体1'とヘッドカバー体2'とを接続している。
【００３８】
特に、固定具5'とシャフト収容体1'の上端開口部との間には、シャフト収容体1'に環装するリング状の支持体7'を装着し、この支持体7'の外側面には連結体3'を挿通させる挿通孔を有する２つのリング状のガイド体6',6'を突設して、ガイド体6',6'にそれぞれ連結体3'を挿通させている。
【００３９】
このように、シャフト収容体1'の伸延方向に沿って固定具5'とガイド体6',6'とを設けることにより、帯状ゴム体で構成した連結体3'が引き延ばされた場合には、連結体3'によってシャフト収容体１の伸延方向に沿った張力が作用することにより、連結体3'を介してシャフト収容体1'に接続されたヘッドカバー体2'を確実にシャフト収容体1'の直上部分に位置させることができる。
【００４０】
さらに、支持体7'の外側面には係止ピン８を突設し、ゴルフクラブＫのヘッドをヘッドカバー体2'で被覆した際に、図４および図５に示すように、第１筒状挿通路11と第２筒状挿通路12との間に位置している連結体中間部30を係止ピン８に係止させるようにしている。
【００４１】
係止ピン８は、図５及び図６に示すように、固定具5'が装着されたシャフト収容体1'の外側面と対向する外側面に設けている。そして、連結体中間部30を係止ピン８に係止させた場合に、連結体3'が緊張状態となるようにしている。
【００４２】
このように連結体中間部30を係止ピン８に係止させた場合に連結体3'が緊張状態となることによって、ヘッドカバー体２の開口の開口径を収縮させて閉塞状態とするとともに、連結体中間部30を係止ピン８から外れにくくして、ヘッドカバー体2'をゴルフクラブＫのヘッドから外れにくくしている。
【００４３】
そして、ゴルフクラブ用保護具A'からゴルフクラブＫを取り出す場合には、係止ピン８に係止した連結体中間部30を係止ピン８から外し、次いでヘッドカバー体2'をゴルフクラブＫのヘッドから取り外し、図６に示すように、ヘッドカバー体2'をゴルフバックＢの外側に引き倒しながら連結体3'を屈曲させて、ヘッドカバー体2'部分をゴルフバックＢの開口端縁に係止させる。
【００４４】
このように連結体3'を屈曲させてヘッドカバー体2'部分をゴルフバックＢの開口端縁に係止させることにより、連結体3'を介してシャフト収容体1'はゴルフバックＢ内に吊り下げられた状態となり、ゴルフクラブ用保護具A'がゴルフバックＢの内部に没することを防止することができる。
【００４５】
特に、連結体3'を帯状ゴム体等の伸縮性を有する素材とした場合には、伸縮性を利用してシャフト収容体１の上端縁をゴルフバックＢの開口端縁部分に位置させることができるので、ゴルフクラブ用保護具A'にゴルフクラブＫを収容する場合に、シャフトを極めて容易にシャフト収容体に挿入することができる。
【図面の簡単な説明】
【００４６】
【図１】本発明にかかるゴルフクラブ用保護具の説明図である。
【図２】本発明にかかるゴルフクラブ用保護具の説明図である。
【図３】本発明にかかるゴルフクラブ用保護具の説明図である。
【図４】他の実施形態のゴルフクラブ用保護具の説明図である。
【図５】他の実施形態のゴルフクラブ用保護具の説明図である。
【図６】他の実施形態のゴルフクラブ用保護具の説明図である。
【符号の説明】
【００４７】
Ａ  ゴルフクラブ用保護具
Ｋ  ゴルフクラブ
Ｂ  ゴルフバック
１  シャフト収容体
２  ヘッドカバー体
３  連結体
４  保護カバー
５  固定部
６  ガイド体
７  支持体
【図１】
2005137691.tif 000003
【図２】
2005137691.tif 000004
【図３】
2005137691.tif 000005
【図４】
2005137691.tif 000006
【図５】
2005137691.tif 000007
【図６】
2005137691.tif 000008